(57)【特許請求の範囲】
【請求項１】
上辺に表合じゃくり部が形設され、
下辺に裏合じゃくり部が形設され、
右辺と左辺のいずれか一方の縦辺に裏合じゃくり部が形設され、他方の縦辺に段差加工の無い縦端面が形設されることにより、
三辺に合じゃくり部が形設される四角板状の外壁材と、
上辺に表合じゃくり部が形設され、
下辺に裏合じゃくり部が形設され、
側端部の二つの縦辺に裏合じゃくり部が形設されることにより、
各辺に合じゃくりが形設される断面略Ｌ字状の出隅コーナー材と、
横方向に隣り合う一方の外壁材の裏合じゃくり部と他方の外壁材の段差加工の無い縦端面を接合するための接合用役物であって、両外壁材の接合箇所から浸入する水を排水するための上下方向の縦溝部を有する接合用役物と、
を用いる建物外壁の施工方法であって、
複数配列される前記外壁材の少なくとも一つの外壁材について横幅方向の寸法調整を行い、右辺と左辺の両側の縦辺を段差加工の無い縦端面とするとともに、
段差加工の無い一方の縦端面と、前記出隅コーナー材の縦辺の裏合じゃくり部とを、前記接合用役物を用いて接合するとともに、
段差加工の無い他方の縦端面と、隣り合う他の前記外壁材の裏合じゃくり部とを、前記接合用役物を用いて接合する、
建物外壁の施工方法。
【請求項２】
前記外壁材の縦辺の裏合じゃくり部には、
前記接合用役物の一部が挿入され、
挿入された接合用役物の部位と、前記裏合じゃくり部の間、
及び、
挿入された接合用役物の部位と、前記段差加工の無い縦端面の間、
には、パッキン材が介設されることで、シール面が形成される、
ことを特徴とする、請求項１に記載の建物外壁の施工方法。
【請求項３】
前記出隅コーナー材の縦辺の裏合じゃくり部には、
前記接合用役物の一部が挿入され、
挿入された接合用役物の部位と、前記裏合じゃくり部の間、
及び、
挿入された接合用役物の部位と、切断により新たに形設される段差加工の無い縦端面の間、
には、パッキン材が介設されることで、シール面が形成される、
ことを特徴とする、請求項１又は請求項２に記載の建物外壁の施工方法。
【発明の詳細な説明】
【技術分野】
【０００１】
本発明は、窯業系サイディングなどの外壁材（出隅コーナー材なども含む）を用いた建物外壁の施工方法に関する。
【背景技術】
【０００２】
従来、窯業系サイディングなどの外壁材を接合する形態として、四角形の板状の外壁材の四辺に合じゃくり加工を施し、上下に隣り合う外壁材の間の横目地部、左右に隣り合う外壁材の縦目地部において、それぞれ合じゃくり接合を形成する施工方法が知られている（特許文献１参照。）。
【０００３】
また、四角形の板状の外壁材の四辺は、工場において合じゃくり加工がなされたうえで出荷されるものであるが、通常、施工現場において、外壁材の横幅の寸法調整が必要とされることになる。外壁材の幅寸法は規格化されており、規格化された幅寸法のものを並べただけでは、外壁全体の幅寸法と一致させることは困難であるからである。
【０００４】
そこで、施工現場において、切断によって外壁材の幅寸法を縮小させることで寸法調整をするとともに、切断端面に合じゃくり加工を施すことで、寸法調整された外壁材についても合じゃくり接合を形成することが知られている。また、このような施工現場における合じゃくり加工の加工性について改善を図る技術も知られている（特許文献２参照。）。
【先行技術文献】
【特許文献】
【０００５】
【特許文献１】特開２０００−３４５６８２号公報
【特許文献２】特開２００５−１０５７０１号公報
【発明の概要】
【発明が解決しようとする課題】
【０００６】
上述のように、合じゃくり接合による建物外壁の施工方法は、施工現場での外壁材の幅寸法の調整や、合じゃくり加工の必要が生じることが考えられ、特許文献２に示されるような専用の切削刃物や、加工作業などが必要となる。このため、施工現場での外壁材の合じゃくり加工を発生させないで接合できることが望ましいといえる。つまり、施工性に優れた接合方法が望まれるのである。
【０００７】
一方、単に外壁材の幅寸法を縮小するためだけの切断加工であって、合じゃくり加工などの段差加工が不要である場合には、仮に施工現場での外壁材の加工作業が生じた場合であっても、その作業負担は、合じゃくり加工をする場合と比較して、短時間で簡易に行うことができるため、作業負担は少ないものと考えられる。
【０００８】
ところが、切断された外壁材の縦端面に合じゃくり部などの段差加工を行わないとすると、隣り合う外壁材の合じゃくり部との間において、目地部における防水性を確保するための新たな構造が必要となる。段差加工の無い縦端面と合じゃくり部を接合させるためである。
【０００９】
仮に、目地部における防水性を確保しつつ、段差加工の無い縦端面と合じゃくり部を接合させる接合形態を実現することができれば、横方向に隣り合う外壁材において、一方の外壁材を切断加工するだけで、施工現場において容易に調整作業が行えることになる。
【００１０】
なお、段差加工の無い縦端面と接合させる合じゃくり部については、外壁材の裏面側を切り欠くことによって形成される裏合じゃくり部であることが前提とされる。外壁材の表面側を切り欠くことによって形成される表合じゃくり部であると、合じゃくり部を隠すための別部材が必要になるためである。
【００１１】
他方、外壁材の高さ寸法の調整については、一般的に、外壁材は下列から上列に向かって積み上げられるものであり、最上列に配置される外壁材の上辺側を切断除去するようにして高さ寸法の調整が行われることになる。そして切断により新たに形成される端面については、軒天などの近くに配置されて他の外装材に接合されることは無いため、特段の処理は不要である。
【００１２】
このようなことから、外壁材の上辺と下辺については、従来どおり工場などにおいて合じゃくり加工を予め実施しておき、上下に隣り合う外壁材同士にて合じゃくり接合を実施することについては、特段の問題が生じることはない。
【００１３】
本発明は、以上の問題に鑑みたものである。つまり、四辺合じゃくりを利用した外壁材の施工方法に代わる新規な施工方法を提供するものであり、横方向に隣り合う外壁材の段差加工の無い縦端面と合じゃくり部の接合において、防水性を確保できる新規な技術を提供するものである。
【課題を解決するための手段】
【００１４】
本発明の解決しようとする課題は以上の如くであり、次にこの課題を解決するための手段を説明する。
【００１５】
即ち、請求項１に記載のごとく、上辺に表合じゃくり部が形設され、下辺に裏合じゃくり部が形設され、右辺と左辺のいずれか一方の縦辺に裏合じゃくり部が形設され、他方の縦辺に段差加工の無い縦端面が形設されることにより、三辺に合じゃくり部が形設される四角板状の外壁材と、上辺に表合じゃくり部が形設され、下辺に裏合じゃくり部が形設され、側端部の二つの縦辺に裏合じゃくり部が形設されることにより、各辺に合じゃくりが形設される断面略Ｌ字状の出隅コーナー材と、横方向に隣り合う一方の外壁材の裏合じゃくり部と他方の外壁材の段差加工の無い縦端面を接合するための接合用役物であって、両外壁材の接合箇所から浸入する水を排水するための上下方向の縦溝部を有する接合用役物と、を用いる建物外壁の施工方法であって、複数配列される前記外壁材の少なくとも一つの外壁材について横幅方向の寸法調整を行い、右辺と左辺の両側の縦辺を段差加工の無い縦端面とするとともに、段差加工の無い一方の縦端面と、前記出隅コーナー材の縦辺の裏合じゃくり部とを、前記接合用役物を用いて接合するとともに、段差加工の無い他方の縦端面と、隣り合う他の前記外壁材の裏合じゃくり部とを、前記接合用役物を用いて接合する、建物外壁の施工方法とする。
【００１６】
また、請求項２に記載のごとく、
前記外壁材の縦辺の裏合じゃくり部には、
前記接合用役物の一部が挿入され、
挿入された接合用役物の部位と、前記裏合じゃくり部の間、
及び、
挿入された接合用役物の部位と、前記段差加工の無い縦端面の間、
には、パッキン材が介設されることで、シール面が形成されることとするものである。
【００１７】
また、請求項３に記載のごとく、
前記出隅コーナー材の縦辺の裏合じゃくり部には、
前記接合用役物の一部が挿入され、
挿入された接合用役物の部位と、前記裏合じゃくり部の間、
及び、
挿入された接合用役物の部位と、切断により新たに形設される段差加工の無い縦端面の間、
には、パッキン材が介設されることで、シール面が形成されることとするものである。
【発明の効果】
【００１８】
本発明の効果として、以下に示すような効果を奏する。
【００１９】
即ち、請求項１に記載の発明においては、
外壁材を用いて構成されるべき外壁の横幅寸法が、外壁材の加工前の横幅寸法の合計値よりも狭い場合には、出隅コーナー材の隣に配置される外壁材を切断して寸法調整するだけで対応できることとなる。
また、横方向に隣り合う外壁材の間に形成される縦目地部、及び、外壁材と出隅コーナー材の間に形成される縦目地部において、水が浸入するような場合であっても、浸入する水を接合用役物によって排水できることになるため、合じゃくり部と段差加工の無い縦端面、及び、合じゃくり部と切断により新たに形設される段差加工の無い縦端面を接合する形態において、防水性を確保することが可能となる。
また、上下に隣り合う外壁材の間に形成される横目地部、及び、上下に隣り合う出隅コーナー材の間に形設される横目地部、については、それぞれ、合じゃくり接合による防水性を確保することが可能となる。
【００２０】
また、請求項２に記載の発明においては、
外壁材と接合用役物の間における水の浸入を防止することができ、防水性を確保することが可能となる。
【００２１】
また、請求項３に記載の発明においては、
出隅コーナー材と接合用役物の間における水の浸入を防止することができ、防水性を確保することが可能となる。
【図面の簡単な説明】
【００２２】
【図１】実施例１の施工方法について示す正面図。
【図２】実施例１の施工方法について示す水平断面図。
【図３】実施例１の上下に隣り合う外壁材同士の合じゃくり接合について示す縦断面図。
【図４】（ａ）は外壁材の正面側斜視図。（ｂ）は外壁材の裏面側斜視図。（ｃ）は出隅コーナー材の正面側斜視図。（ｄ）は出隅コーナー材の裏面側斜視図。
【図５】実施例２の構成を出隅部に配置する例について示す斜視図。
【図６】実施例２の構成について示す水平断面図。
【図７】実施例２の構成を横方向に隣り合う外壁材の接合部に配置する例について示す斜視図。
【発明を実施するための形態】
【００２３】
本発明の実施形態では、図１乃至図６に示すごとく、
上辺１１に表合じゃくり部１１ａが形設され、
下辺１２に裏合じゃくり部１２ａが形設され、
右辺１３と左辺１４のいずれか一方の縦辺（図の例では右辺１３）に裏合じゃくり部１３ａが形設され、他方の縦辺（図の例では左辺１４）に段差加工の無い縦端面１４ａが形設されることにより、
三辺に合じゃくり部が形設される四角板状の外壁材１Ａ・１Ｂ・１Ｃと、
上辺２１（図４（ｃ）（ｄ）参照）に表合じゃくり部２１ａが形設され、
下辺２２（図４（ｃ）（ｄ）参照）に裏合じゃくり部２２ａが形設され、
側端部の二つの縦辺２３・２４（図４（ｃ）（ｄ）参照）に裏合じゃくり部２３ａ・２４ａが形設されることにより、
各辺に合じゃくりが形設される断面略Ｌ字状の出隅コーナー材２０Ａ・２０Ｂと、
横方向に隣り合う一方の外壁材１Ａの裏合じゃくり部１３ａと他方の外壁材１Ｂの段差加工の無い縦端面１４ａを接合するための接合用役物６であって、両外壁材１Ａ・１Ｂの接合箇所から浸入する水を排水するための上下方向の縦溝部１７ａ・１７ｂ（図６参照）を有する接合用役物６と、
を用いる建物外壁の施工方法であって、
複数配列される外壁材１Ａ・１Ｂ・１Ｃの少なくとも一つの外壁材について横幅方向の寸法調整を行うとともに、
切断により新たに形設される段差加工の無い縦端面１ｎと、前記出隅コーナー材２０Ｂの縦辺２４の裏合じゃくり部２４ａとを、前記接合用役物６を用いて接合する、
（及び／又は、
切断により新たに形設される段差加工の無い縦端面１ｎと、前記出隅コーナー材２０Ａの縦辺２３の裏合じゃくり部２３ａとを、前記接合用役物６を用いて接合する、）
及び／又は、
切断により新たに形設される段差加工の無い縦端面１ｎと、隣り合う他の外壁材の裏合じゃくり部１３ａとを、前記接合用役物６を用いて接合する、
建物外壁の施工方法とするものである。
【００２４】
特に、実施例１では、図１及び図２に示すごとく、
前記出隅コーナー材２０Ｂの隣に配置される外壁材１Ｃについて、縦辺に裏合じゃくり部１３ａを有する部位１Ｍを切断除去することで、外壁材１Ｃの横幅方向の寸法調整を行うとともに、
切断により新たに形設される段差加工の無い縦端面１ｎと、前記出隅コーナー材２０Ｂの縦辺２４の裏合じゃくり部２４ａとを、前記接合用役物６を用いて接合する、
建物外壁の施工方法とするものである。
【００２５】
以上により、図１に示すごとく、外壁材１Ａ・１Ｂ・１Ｃを用いて構成されるべき外壁の横幅寸法Ｙが、外壁材１Ａ・１Ｂ・１Ｃの加工前の横幅寸法の合計値（図１、図２の例では、横幅寸法Ｙ１の３倍）よりも狭い場合には、出隅コーナー材２０Ｂの隣に配置される外壁材１Ｃなどを切断して寸法調整するだけで対応できることとなる。
【００２６】
また、図１及び図２に示すごとく、横方向に隣り合う外壁材の間に形成される縦目地部Ｍ１、及び、外壁材と出隅コーナー材の間に形成される縦目地部Ｍ２において、水が浸入するような場合であっても、浸入する水を接合用役物６によって排水できることになるため、合じゃくり部１３ａと段差加工の無い縦端面１４ａ、及び、合じゃくり部２４ａと切断により新たに形設される段差加工の無い縦端面１ｎを接合する形態において、防水性を確保することが可能となる。
【００２７】
また、図１及び図３に示すごとく、上下に隣り合う外壁材１Ａ・１Ｄの間に形成される横目地部Ｍ３、及び、上下に隣り合う出隅コーナー材２０Ａ・２０Ｃの間に形設される横目地部Ｍ４、については、それぞれ、合じゃくり接合による防水性を確保することが可能となる。
【００２８】
また、図５及び図６に示すごとく、
前記出隅コーナー材２０Ｂの縦辺２４の裏合じゃくり部２４ａには、
前記接合用役物６の一部が挿入され、
挿入された接合用役物６の部位と、前記裏合じゃくり部２４ａの間、
及び、
挿入された接合用役物６の部位と、切断により新たに形設される段差加工の無い縦端面１ｎの間、
には、パッキン材７３が介設されることで、シール面１６ａ・１６ｂ（図６参照）が形成されることとするものである。
【００２９】
これにより、出隅コーナー材２０Ｂと接合用役物６の間における水の浸入を防止することができ、防水性を確保することが可能となる。
【００３０】
また、図７に示すごとく、
前記外壁材１Ｂの縦辺（右辺１３）の裏合じゃくり部１３ａには、
前記接合用役物６の一部が挿入され、
挿入された接合用役物６の部位と、前記裏合じゃくり部１３ａの間、
及び、
挿入された接合用役物６の部位と、前記段差加工の無い縦端面１４ａの間、
には、パッキン材７３が介設されることで、シール面（図６に示すシール面１６ａ・１６ｂと同様のもの）が形成されることとするものである。
【００３１】
これにより、外壁材１Ｂ・１Ｃと接合用役物６の間における水の浸入を防止することができ、防水性を確保することが可能となる。
以下、実施例を用いて詳細について説明する。
【実施例１】
【００３２】
図４（ａ）（ｂ）に示すごとく、本実施例１では、四角板状の外壁材１Ａについて、上辺１１に表合じゃくり部１１ａ、下辺１２に裏合じゃくり部１２ａ、右辺１３に裏合じゃくり部１３ａ、がそれぞれ形設される一方、左辺１４は段差加工の無い縦端面１４ａで構成され、全体として三辺合じゃくりを有する外壁材１Ａが構成されるものとしている。なお、本明細書中の説明における上下左右の位置関係は、外壁材１Ａの外装面を構成するおもて面１ｃ側を見たときを基準とするものであり、例えば、図４（ａ）においては、紙面上側が上、紙面下側が下、紙面右側が右、紙面左側が左、とされるものである。
【００３３】
また、本明細書中において、図４（ｂ）の縦端面１４ａのような「段差加工の無い縦端面」とは、外壁材を施工現場にて外壁面に対して垂直方向に切断することで単純に形成される垂直切断面（切りっ放し端面ともいう）や、工場などで規格寸法に形成された状態で単純な垂直端面を形成している端面も含むものであり、合じゃくり加工のように「積極的に特定の段差を形成することを意図した加工」がなされていない端面をいうものである。
【００３４】
また、図４（ａ）（ｂ）に示すごとく、上辺１１の表合じゃくり部１１ａは、外壁材１Ａの外装面を構成するおもて面１ｃの上辺１１部分の縁を取り除くことで形設されるものである。また、下辺１２の裏合じゃくり部１２ａ、及び、右辺１３の裏合じゃくり部１３ａは、それぞれ、外壁材１Ａの裏面１ｂの下辺１２部分の縁、右辺１３部分の縁をそれぞれ取り除くことで形設されるものである。
【００３５】
また、図４（ｃ）（ｄ）に示すごとく、本実施例１において使用される出隅コーナー材２０Ａは、断面視略Ｌ字状の部材であって、上辺２１に表合じゃくり部２１ａ、下辺２２に裏合じゃくり部２２ａ、側端部の二つの縦辺２３・２４に裏合じゃくり部２３ａ・２４ａ、がそれぞれ形設される。これにより、出隅コーナー材２０Ａについては、全ての端辺に、合じゃくり部が形設されるようになっている。
【００３６】
また、図４（ｃ）（ｄ）に示すごとく、出隅コーナー材２０Ａも図４（ａ）（ｂ）の外壁材１Ａと同様に、上辺２１の表合じゃくり部２１ａについては、出隅コーナー材２０Ａの外装面を構成するおもて面２０ｃの上辺２１部分の縁を取り除くことで形設されるものである。また、下辺２２の裏合じゃくり部２２ａ、及び、側端部の二つの縦辺２３・２４の裏合じゃくり部２３ａ・２４ａは、それぞれ、出隅コーナー材２０Ａの裏面２０ｂの下辺２２部分の縁、二つの縦辺２３・２４部分の縁をそれぞれ取り除くことで形設されるものである。
【００３７】
そして、図４（ａ）〜（ｄ）に示される外壁材１Ａと出隅コーナー材２０Ａを用い、図１及び図２に示すごとく、外壁の施工を行う。なお、各外壁材１Ａ・１Ｂ・１Ｃ・・・は同一の構成であり、また、各出隅コーナー材２０Ａ・２０Ｂ・・・は同一の構成であって、説明の便宜上、異なる符号を付しているものである。
【００３８】
次に、建物外壁の施工手順について説明する。
図１に示すごとく、まず、柱４・４や間柱７・７などの各下地材に対し、防水シート５を貼付した状態とし、柱４・４に対して接合用役物６・６を固定した状態とする。そして、出隅コーナー材２０Ａ・２０Ｂを留め金具８・８を用いて固定するとともに、向かって左側に配置される出隅コーナー材２０Ａに近い側から順に、外壁材１Ａ・１Ｂを設置し、適宜、留め金具８・８にて外壁材１Ａ・１Ｂを留め付ける。
【００３９】
また、図１及び図２に示すごとく、外壁材１Ｂと出隅コーナー材２０Ｂの間の空間の横幅寸法Ｙｍは、外壁材１Ｃの横幅寸法Ｙ１よりも狭いため、外壁材１Ｃについて、切断工具を用い、裏合じゃくり部１３ａを有する部位１Ｍを取り除いて、横幅寸法Ｙｍとなるように寸法調整を実施する。
【００４０】
また、図１及び図２に示すごとく、寸法調整された外壁材１Ｃについては、段差加工の無い縦端面１ｎが新たに形設されることになり、この縦端面１ｎが、出隅コーナー材２０Ｂの縦辺２４の裏合じゃくり部２４ａと接合されることになる。
【００４１】
また、図１及び図２に示すごとく、外壁材１Ａと外壁材１Ｂの間、外壁材１Ｂと外壁材１Ｃの間の接合部には、それぞれ縦目地部Ｍ１が形成され、出隅コーナー材２０Ａと外壁材１Ａの間、外壁材１Ｃと出隅コーナー材２０Ｂの間の各接合部には、それぞれ縦目地部Ｍ２が形設されることになり、これら縦目地部Ｍ１・Ｍ２の裏側には、それぞれ、接合用役物６・６が配置されるようになっている。
【００４２】
また、この接合用役物６は、詳しくは後述するが、図５及び図６に示すごとく、外壁材１Ｃの裏面１ｂや出隅コーナー材２０Ｂの裏面２０ｂに浸入した水を排水するための縦溝部１７ａ・１７ｂを有しているため、仮に、各接合部（縦目地部Ｍ１・Ｍ２（図１、図２参照））において水が浸入した場合であっても、この縦溝部１７ａ・１７ｂによって、裏面１ｂ・２０ｂでのさらなる広範囲の水の浸入を防止することができ、各接合部における防水性を確保することが可能となる。
【００４３】
また、図１及び図２に示すごとく、上下方向に隣り合う出隅コーナー材２０Ａ・２０Ｃ、外壁材１Ａ・１Ｄの間の接合部にそれぞれ形設される横目地部Ｍ３・Ｍ４ついては、それぞれ、図３に示されるように、合じゃくり接合されることになるため、横目地部Ｍ３・Ｍ４における防水性を確保できることとなる。なお、図３の例においては、止水材１８が挟装される構成とし、防水性を向上させる構成としている。
【００４４】
以上のように、本実施例１によれば、図１及び図２に示すごとく、三辺合じゃくりを有する外壁材１Ａ・１Ｂ・１Ｃを用いて構成されるべき外壁の横幅寸法Ｙが、外壁材１Ａ・１Ｂ・１Ｃの加工前の横幅寸法の合計値よりも狭い場合において、出隅コーナー材２０Ａの隣に配置される外壁材１Ｃを切断して寸法調整するだけで対応できることとなり、施工性に優れた建物外壁の施工方法を実現することができる。
【００４５】
また、図１及び図２に示すごとく、縦目地部Ｍ１・Ｍ２、横目地部Ｍ３・Ｍ４のそれぞれにおいて、防水性を確保することができるため、三辺合じゃくりを有する外壁材１Ａ・１Ｂ・１Ｃを用いて外壁を施工する場合においても、確実な防水性を確保することが可能となる。
【００４６】
なお、本実施例１では、図４（ａ）（ｂ）に示すごとく、外壁材１Ａの右辺１３について裏合じゃくり部１３aを形設し、左辺１４については段差加工の無い縦端面１４aとすることで、三辺合じゃくりが構成されることとしたが、この逆に、右辺１３について段差加工の無い縦端面とし、左辺１４について裏合じゃくり部を形設することとしてもよい。
【００４７】
また、本実施例１では、図１に示すごとく、各外壁材１Ａ・１Ｂの右辺１３に裏合じゃくり部１３aを形設し、向かって左側から順に右側へ向かって外壁材１Ａ・１Ｂを留め付ける形態とし、最後に留め付ける外壁材１Ｃについて幅寸法を調整する形態とするものである。この形態においては、左手で外壁材１Ａを押さえながら、右手で留め金具８を柱４に固定して、外壁材１Ａを留め付けるという作業が可能となるため、特に、右利きの作業員にとって、作業が行い易い形態とすることができる。
【００４８】
また、本実施例１では、図１に示すごとく、外壁材１Ｃについて、切断工具を用い、裏合じゃくり部１３ａを有する部位１Ｍを取り除いて、横幅寸法Ｙｍとなるように寸法調整を実施したが、外壁材１Ａ・１Ｂについて、寸法調整を実施してもよい。なお、外壁材１Ａ・１Ｂについて寸法調整を実施した場合には、切断により二分されたもののうち、裏合じゃくり部１３ａを有する部位が利用されることになる。このように、出隅２０Ａの右隣に配置される外壁材１Ａや、両側が他の外壁材１Ａ・１Ｃに挟まれる外壁材１Ｂについて横幅の寸法調整をしてもよく、つまりは、少なくとも一つの外壁材１Ａ・１Ｂ・１Ｃについて、寸法調整を実施することで、本発明を適用することができるのである。
【実施例２】
【００４９】
図５及び図６は、本発明の実施に用いられる接合用役物６の実施例について示す図である。
図５及び図６に示すごとく、横方向に外壁材１Ｃと出隅コーナー材２０Ｂが隣接して配設され、外壁材１Ｃの右辺１３の端部には、幅調整によって切断されることで、新たな段差加工の無い縦端面１ｎが形成され、出隅コーナー材２０Ｂの縦辺２４には、裏合じゃくり部２４ａが形成されている。
【００５０】
また、図５及び図６に示すごとく、外壁材１Ｃの縦端面１ｎと出隅コーナー材２０Ｂの裏合じゃくり部２４ａが対向する位置において縦目地部Ｍ２が構成されるようになっている。また、この縦目地部Ｍ２が形成される位置においては、図示せぬ固定具によって接合用役物６が防水シート５を介して柱４に固定されるようになっている。なお、接合用役物６は、柱４の他、縦胴縁、間柱、胴縁、下地用ボード材などの各種の下地材に対して取付けることもできる。
【００５１】
また、図５に示す構成において、外壁材１Ｃと出隅コーナー材２０Ｂは、図示せぬ留め金具によって柱４などに対して留め付けられるようになっており、この留め金具によって、各外壁材１Ｃの裏面１ｂと出隅コーナー材２０Ｂの裏面２０ｂと防水シート５の間に通気空間１５が形成され得るようになっている。
【００５２】
また、図６に示すごとく、接合用役物６は、長尺の部材であって上下方向に長く配設されるものである。この接合用役物６は、出隅コーナー材２０Ｂの室内側に配置され防水シート５側に固定される第一の固定板部６１と、第一の固定板部６１から室外方向に延設され、裏合じゃくり部２４ａの室内外方向端面２４ｕに対面する第一の縦板部６２と、裏合じゃくり部２４ａの横方向端面２４ｖに対面する第一の横板部６３とを有している。また、接合用役物６は、外壁材１Ｃの室内側に配置され防水シート５側に固定される第二の固定板部６４と、第二の固定板部６４から室外方向に延設される第二の縦板部６５と、裏面１ｂに対面する第二の横板部６６と、縦端面１ｎに対面する第三の縦板部６７を有している。
【００５３】
また、図６に示される接合用役物６の各板部は、金属などからなる板材を板金加工することによって、連続的に構成されている。なお、このように板金加工によって各板部を構成するほか、金属を押出成形することによって各板部が形成されることとしてもよい。
【００５４】
また、図６に示すごとく、外壁材１Ｃの縦端面１ｎは、出隅コーナー材２０Ｂの縦端面２４ｅに対向して配置され、縦端面１ｎと縦端面２４ｅが互いに突き合わされるようになっている。
【００５５】
また、図６に示すごとく、第一の横板部６３と第三の縦板部６７には、裏合じゃくり部２４ａの横方向端面２４ｖ、及び、外壁材１Ｃの縦端面１ｎに当着し得るパッキン材７３が貼設されており、第一の横板部６３と横方向端面２４ｖの間の隙間と、第三の縦板部６７と縦端面１ｎの間の隙間が、それぞれパッキン材７３によって埋められ得るようになっている。これにより、第一の横板部６３と横方向端面２４ｖの間にシール面１６ａが、第三の縦板部６７と縦端面１ｎの間にシール面１６ｂがそれぞれ形設され、このシール面１６ａ・１６ｂによる止水を図ることができる。なお、パッキン材７３は、ゴムや樹脂などの弾性のある素材にて構成することができる。また、パッキン材７３は、本実施例のように断面Ｌ字状のものとするほか、他の形態であってもよく、第一の横板部６３と第三の縦板部６７にそれぞれ個別に設けられるものであってもよい。
【００５６】
そして、以上の構成においては、図６に示すごとく、裏合じゃくり部２４ａに対して接合用役物６の第一の縦板部６２、第一の横板部６３、及び、第三の縦板部６７が挿入された状態としつつ、パッキン材７３によってシール面１６ａ・１６ｂが形成されることにより、これらシール面１６ａ・１６ｂによって、第一段階の止水を実現することができる。なお、本実施例２のようにパッキン材７３を設けることに加え、室内外方向端面２４ｕと第一の縦板部６２の間、及び、裏面１ｂと第二の横板部６６の間、にそれぞれ、同様のパッキン材が設けられることとしてもよい。
【００５７】
また、図６に示すごとく、第一の固定板部６１において、第一の縦板部６２の反対側となる位置には、第四の縦板部６８が室外方向に延設されており、この第四の縦板部６８の先端に形設される止水部６８ａが、出隅コーナー材２０Ｂの裏面２０ｂに当接し得るようになっている。これにより、第一の固定板部６１と、第一の縦板部６２と、裏面２０ｂと、第四の縦板部６８によって取り囲まれた上下方向の縦溝部１７ａが形成されるようになっている。なお、止水部６８ａについては、図６に示すように折り返して設けるほか、裏面１ｂと平行に設けて裏面２０ｂに当接させ、止水部６８ａと裏面２０ｂの間に幅を有するシール面を構成することとしてもよい。
【００５８】
同様に、図６に示すごとく、第二の固定板部６４において、第二の縦板部６５の反対側となる位置には、第五の縦板部６９が室外方向に延設されており、この第五の縦板部６９の先端に形設される止水部６９ａが、外壁材１Ｃの裏面１ｂに当接し得るようになっている。これにより、第二の固定板部６４と、第二の縦板部６５と、裏面１ｂと、第五の縦板部６９によって取り囲まれた上下方向の縦溝部１７ｂが形成されるようになっている。なお、止水部６９ａについては、図６に示すように折り返して設けるほか、裏面１ｂと平行に設けて裏面１ｂに当接させ、止水部６９ａと裏面１ｂの間に幅を有するシール面を構成することとしてもよい。
【００５９】
以上の構成により、図６に示すごとく、シール面１６ａ、若しくは、シール面１６ｂを通過して、出隅コーナー材２０Ｂ、若しくは、外壁材１Ｃの裏側へ向かうように水が浸入した場合でも、この浸入した水を縦溝部１７ａ・１７ｂから下方へ排水することが可能となる。このようにして、縦溝部１７ａ・１７ｂによる第二段階の止水を実現することができる。
【００６０】
また、図６に示すごとく、各止水部６８ａ・６９ａと各裏面２０ｂ・１ｂが当接することで、両者の間にそれぞれシール部１６ｃ・１６ｄを形成することができる。
【００６１】
これにより、図６に示すごとく、縦溝部１７ａ・１７ｂに水が浸入した場合でも、シール部１６ｃ・１６ｄによって、出隅コーナー材２０Ｂ、外壁材１Ｃの裏面２０ｂ・１ｂでのさらなる広範囲の水の浸入を防止することが可能となる。このようにして、シール部１６ｃ・１６ｄによる第三段階の止水を実現することができる。なお、各止水部６８ａ・６９ａにゴムや樹脂などからなるパッキン材を設け、各止水部６８ａ・６９ａと裏面２０ｂ・１ｂの間に、パッキン材が介装される構成としてもよい。また、この他、止水部６８ａ・６９ａが裏面２0ｂ・１ｂに当接されず、シール部１６ｃ・１６ｄが形設されない構成にて実施することも考えられる。
【００６２】
また、図６に示すごとく、接合用役物６における第一の固定板部６１から止水部６８ａまでの距離Ｗ１、及び、第二の固定板部６４から止水部６９ａまでの距離Ｗ２は、それぞれ、通気空間１５の奥行幅Ｗ３と略同一に形成されるようになっている。即ち、接合用役物６における出隅コーナー材２０Ｂ・外壁材１Ｃと防水シート５の間の部位の室内外方向の奥行き寸法（距離Ｗ１・Ｗ２）は、出隅コーナー材２０Ｂ・外壁材１Ｃと防水シート５の間に形設される通気空間１５の室内外方向の奥行き寸法（距離Ｗ３）と略同一に設定されるものである。これにより、出隅コーナー材２０Ｂ・外壁材１Ｃと防水シート５の間に通気空間１５が形成される工法において、他のスペーサー部材などを用いずに、接合用役物６を利用することが可能となる。
【００６３】
また、図６に示すごとく、接合用役物６の第一の縦板部６２が、出隅コーナー材２０Ｂの裏合じゃくり部２４ａの室内外方向端面２４ｕに対面する配置となっている。また、接合用役物６の第三の縦板部６７が、外壁材１Ｃの縦端面１ｎに対面する配置となっている。このようにして、接合用役物６が、出隅コーナー材２０Ｂの裏合じゃくり部２４ａの室内外方向端面２４ｕと、外壁材１Ｃの縦端面１ｎに対面する部位（第一の縦板部６２、第三の縦板部６７）を有することとしている。
【００６４】
これにより、図６に示すごとく、仮に、出隅コーナー材２０Ｂ・外壁材１Ｃが横方向にずれるような状況が生じた場合においては、第一の縦板部６２、第三の縦板部６７によって、それぞれ出隅コーナー材２０Ｂ・外壁材１Ｃの横方向のズレを規制することが可能となる。この効果は、例えば、出隅コーナー材２０Ｂ・外壁材１Ｃを躯体側に固定するための固定金具が、横ずれ防止の機能を有していない場合など、出隅コーナー材２０Ｂ・外壁材１Ｃの横ずれの防止が図られていない工法においては、特に有効なものとなる。
【００６５】
また、図５に示すごとく、出隅コーナー材２０Ｂと外壁材１Ｘの接合においても、以上に述べた接合用役物６を使用することができる。この場合、出隅コーナー材２０Ｂの裏合じゃくり部２３ａと外壁材１Ｘの段差加工の無い縦端面１４ａの接合となるため、この接合箇所に配置される接合用役物６においては、裏合じゃくり部１４aと外壁材１Ｃの接合箇所に配置される接合用役物６の上下を反転させた状態で、設置されることになる。
【００６６】
さらに、図７に示すごとく、本実施例２の構成の接合用役物６は、四角板状の外壁材１Ｂ・１Ｃが隣り合う縦目地部Ｍ１において、外壁材１Ｂの裏合じゃくり部１３ａと、外壁材１Ｃの段差加工の無い縦端面１４ａを接合する場合にも適用することができる。
【産業上の利用可能性】
【００６７】
本発明の構成は、窯業系サイディング、セラミック系サイディング、金属系サイディング、ＡＬＣ板などの板状の外壁材を接合させる接合構造において、広く適用することができる。
【符号の説明】
【００６８】
１Ａ    外壁材
１Ｂ    外壁材
１Ｃ    外壁材
１ｂ    裏面
１ｎ    縦端面
４    柱
５    防水シート
６    接合用役物
７    間柱
８    留め金具
１１    上辺
１１ａ  表合じゃくり部
１２    下辺
１２ａ  裏合じゃくり部
１３    右辺
１３ａ  裏合じゃくり部
１４    左辺
１４ａ    縦端面
１５    通気空間
１６ａ    シール面
１６ｂ    シール面
１７ａ    縦溝部
１７ｂ    縦溝部
２０Ａ    出隅コーナー材
２０Ｂ    出隅コーナー材
２０ｂ    裏面
２３ａ    裏合じゃくり部
２４ａ    裏合じゃくり部
７３    パッキン材
【図１】
0005541903.tif 000002
【図２】
0005541903.tif 000003
【図３】
0005541903.tif 000004
【図４】
0005541903.tif 000005
【図５】
0005541903.tif 000006
【図６】
0005541903.tif 000007
【図７】
0005541903.tif 000008